(57)【特許請求の範囲】
【請求項１】
ステムが設けられた第１容器及び第２容器と、
並べて置いた前記両容器のステムに係合し、前記ステムと共に上下動可能で、前記ステムが下げられた際に、前記両容器から前記ステムを通して放出された内容物を同時に射出する誘導路を形成されたノズルと、
前記ノズルを上方から覆うと共に、前記両容器と係合するカバーと、
該カバーに取り付けられ、前記ノズルに当接して前記ノズル及びステムを上方から押下可能なレバーと、
を備えた２剤吐出容器において、
前記カバーは、前記ノズルを前記両容器のステムに係合させるための２つの挿通口を有し、前記ノズルは、前記カバーの上から前記２つの挿通口を通して前記ステムに脱着可能とされ、前記ステムから外すことで洗浄することができることを特徴とする２剤吐出容器。
【請求項２】
前記両容器は、前記内容物としてクリーム状の染毛剤と噴射剤とが別に封入され、該染毛剤のみが放出されるエアゾール容器であることを特徴とする請求項１記載の２剤吐出容器。
【請求項３】
前記両容器の内容物を個々に前記ノズル先端へ導くための経路を形成するための仕切り板を、前記ノズルの誘導路内に形成したことを特徴とする請求項１又は請求項２記載の２剤吐出容器。
【発明の詳細な説明】
【０００１】
【発明の属する技術分野】
本発明は二つの容器から放出される内容物を射出する２剤吐出容器に関するものである。
【０００２】
【従来の技術】
従来の染毛剤は、別個の容器に封入された染毛剤第１剤（以下、第１剤と記す）と染毛剤第２剤（以下、第２剤と記す）とをアプリケータやトレイで混合して染毛効果が発揮できるようにした後、頭髪へ塗布するのが一般的である。このように、染毛剤を使用する際には、別個の容器に封入された第１剤と第２剤とを取り出して混合するため、混合比を均一にすることが難しく、また、手間が掛かっていた。
【０００３】
しかし、最近では、第１剤と第２剤とをアプリケータやトレイで混合する手間を省くために、第１剤と第２剤とが一定の比率を保つように同時に放出できるエアゾール方式の２剤吐出容器が作られている。
このような２剤吐出容器の一例として、次のようなものを挙げることができる。
【０００４】
２剤吐出容器は、ステムが設けられた第１エアゾール容器及び第２エアゾール容器と、並べて置いた両エアゾール容器のステムに係合し、ステムと共に上下動可能で、ステムが下げられた際に、両エアゾール容器からステムを通して放出された内容物を同時に射出する誘導路を形成されたノズルと、ノズルを上方から覆うと共に、両エアゾール容器と係合するカバーと、カバーに取り付けられ、ノズルに当接してノズル及びステムを上方から押圧可能なレバーと、を備えたものである。
【０００５】
この２剤吐出容器ではレバーを押すと、ノズルと共に両エアゾール容器のステムが下がり、両エアゾール容器から第１剤と第２剤とが放出される。そして、放出された内容物は、ノズル内の誘導路を介して、射出される。
この結果、２剤吐出容器によれば、第１剤と第２剤とが一定の比率を保つように同時に射出されるので、期待する染毛効果が得られる。
【０００６】
【発明が解決しようとする課題】
ところで、上記のような２剤吐出容器において、例えば、エアゾール容器の中で、染毛剤と噴射剤とが混合して射出される２剤吐出容器では、射出される染毛剤が泡状（気泡状）となるので、ノズル内において詰まることはほとんどないのであるが、しかし、エアゾール容器の中で、クリーム状の染毛剤と噴射剤とを、内袋を介して隔てられるように構成された２剤吐出容器では、クリーム状の染毛剤がそのまま射出されるために、ノズルの誘導路内において噴出されずに残った染毛剤が詰まることがあった。
【０００７】
このノズルの誘導路内における詰まりは、クリーム状の染毛剤が高い粘性を有しているのに対してノズルの誘導路が細いために引き起こされる。
この２剤吐出容器では、誘導路内でクリーム状の染毛剤が詰まってしまっても、特に詰まりを解消するような構成を備えておらず、その後の使用に困難をきたした。
【０００８】
そこで、本発明は、上述の問題に鑑みて、２剤吐出容器において、クリーム状の染毛剤によるノズルの詰まりを解消することを目的とする。
【０００９】
【課題を解決するための手段、発明の実施の形態及び発明の効果】
上記の目的を達成するためになされた本発明の請求項１記載の２剤吐出容器は、ステムが設けられた第１容器及び第２容器と、並べて置いた両容器のステムに係合し、ステムと共に上下動可能で、ステムが下げられた際に、両容器からステムを通して放出された内容物を同時に射出する誘導路を形成されたノズルと、ノズルを上方から覆うと共に、両容器と係合するカバーと、カバーに取り付けられ、ノズルに当接してノズル及びステムを上方から押圧可能なレバーと、を備えた２剤吐出容器において、カバーは、ノズルを両容器のステムに係合させるための２つの挿通口を有し、ノズルは、カバーの上から２つの挿通口を通してステムに脱着可能とされ、ステムから外すことで洗浄することができることを特徴とする。
【００１０】
このように、請求項１記載の２剤吐出容器によれば、ノズルがカバーの上から挿通口を通してステムに脱着可能とされていることから、内容物がノズル内部の誘導路で詰まりを起こしても、ノズルをステムから取り外して洗浄することで、内容物の詰まりを解消することができる。
【００１１】
また、請求項１記載の２剤吐出容器の構成は、次に挙げる構成において、特に有効である。
すなわち、請求項２に記載したように、両容器は、内容物としてクリーム状の染毛剤と噴射剤とが別に封入され、染毛剤のみが放出されるエアゾール容器であることを特徴とする構成に有効である。
【００１２】
請求項２記載の２剤吐出容器によれば、クリーム状の染毛剤のようにノズル内部の誘導路で詰まりやすい場合でも、ノズルをステムから取り外し洗浄することが手軽に行え、詰まりをすぐに解消でき好適である。
また、請求項１又は２記載のノズルの誘導路内が、両容器の内容物を混合しながら同時に射出するように形成されている場合に、どちらか一方の射出圧力が高いと、一方の内容物の勢いに、他方の内容物が干渉を受けて、一方の内容物だけが多く排出されるおそれがあり、仮に一方だけ多く排出されると期待する染毛効果が得られないといったことが起こる。そこで、より確実に期待する染毛効果を得るには、次のような構成とすればよい。
【００１３】
すなわち、請求項３に記載したように、両容器の内容物を個々にノズル先端へ導くための経路を形成するための仕切り板を、ノズルの誘導路内に形成したことを特徴とする構成とすればよい。
請求項３記載の２剤吐出容器によれば、ノズルの誘導路内に設けられた仕切り板により、両容器の内容物が誘導路内で互いに干渉しないことから、同時に同量排出させることができる。従って、より確実に期待する染毛効果を得ることができる。
【００１４】
また、ノズルを洗浄する際には、外部から押圧されることで流体を吸入排出するポンプ部と、ノズルへ装着可能に形成され、ポンプ部が吸入排出する流体を誘導路に流通させる流通路と、を備えたことを特徴とする洗浄器を用いるようにするとよい。
【００１５】
つまり、２剤吐出容器から取り外したノズルに洗浄器を装着し、洗浄器をノズルと共に水などの流体に浸し、ノズルと洗浄器との間を水が流通するようにポンプ部を数度伸縮させるようにすれば、ノズルに詰まった内容物（例えば、クリーム状の染毛剤）を手間を掛けることもなく簡単に取り除くことができる。
【００１６】
また、この洗浄器を請求項３記載のノズルに用いると、請求項３記載のノズルの誘導路には、各内容物毎に経路が形成されているので、一方の経路に内容物が詰まった状態であっても、流通させる流体が誘導路内で干渉することもなく、確実に内容物を取り除くことができる。従って、請求項３記載のノズルに洗浄器を用いるのは好適である。
【００１７】
【実施例】
以下に本発明の実施例の２剤吐出容器１を図面と共に説明する。
図１は、２剤吐出容器１を示す分解斜視図である。
２剤吐出容器１は、図１に示すように、ステム１８ａを有するマウンテインカップ１７ａを上部に装着した第１エアゾール容器（以下、第１容器と記す）１１と、ステム１８ｂを有するマウンテインカップ１７ｃを上部に装着した第２エアゾール容器（以下、第２容器と記す）１３と、第１容器１１及び第２容器１３のマウンテインカップ１７ａ及び１７ｂを係止する連結部１５と、ステム１８ａ及び１８ｂとを係合させるための挿通口３７ａ及び３７ｂが形成され、連結部１５を上方から覆うようにして、連結部１５に係合するカバー５と、カバー５の上からステム１８ａ及び１８ｂに脱着可能な係合部５７ａ及び５７ｂが形成されたノズル７と、を備えている。
【００１８】
次に、このように構成された２剤吐出容器の各構成要素をさらに詳しく説明する。
ノズル７は、内面５１ａの中央部に仕切り板５１ｂを有し、一面を欠いたように形成されたほぼ箱状のノズル基部５１と、ノズル基部５１の下面に形成され、ノズル基部５１まで貫通する貫通口５５ａ及び５５ｂを有する前述の係合部５７ａ及び５７ｂと、オリフィス５９及びノズル基部５１の内面５１ａに嵌合する嵌合部５３ａを有し、オリフィス５９内の中央部に仕切り板５９ａを形成されたノズル前部５３と、を備えており、仕切り板５９ａ及び５１ｂによりノズル７内部は、完全に２室に隔てられ、第１容器１１及び第２容器１３からの後述する染毛剤同士がノズル７内部でお互いに干渉しないようになっている。
【００１９】
カバー５は、前述の挿通口３７ａ及び３７ｂが形成された上板３１と、カバー５の前方に設けられたヒンジ４１を介して形成された平板状のレバー３３と、ノズル７をステム１８ａ及び１８ｂに結合させた際に、ノズル７のオリフィス５９を露出させるための貫通口３８と、を備えている。なお、レバー３３には、その裏面に、ほぼ円錐形の突起３３ａが二つ形成されている。突起３３ａは、レバー３３が押下された際に、レバー３３に掛かる力をノズル７に効率よく伝わりやすくするものである。
【００２０】
第１容器１１は、その断面図である図２に示すように、ブリキで形成され、エポキシアミノ樹脂、エポキシアミン樹脂などで内面塗装された容器本体１１ａと、前述のステム１８ａを有するマウンテインカップ１７ａと、マウンテインカップ１７ａに固着された高密度ポリエチレンの内袋１６ａと、を備え、内袋１６ａの内部には、クリーム状の第１剤が充填されており、内袋１６ａと容器本体１１ａとの間には、第１剤を噴射させるための噴射剤が充填されている。また、第１容器１１には、２剤吐出容器１の廃棄時に噴射剤を排出するための排出口を塞ぐ栓１２が取り付けられている。
【００２１】
なお、内袋１６ａとしては、変形可能な材質であり、例えば高密度ポリエチレン（ＨＤＰＥ）の他、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の単層の合成樹脂製、およびこれらの積層体、あるいは内面をエポキシフェノール樹脂、エポキシユリア樹脂、エポキシアミノ樹脂あるいはエポキシアミン樹脂でコートしたアルミニウム製（以下、内面コートアルミニウムと言う）を用いてもよく、ＰＥ／ＥＶＯＨ／ＰＥ等の積層体、ＨＤＰＥおよび内面コートアルミニウムを用いると、噴射剤の透過および内容物の変質を防ぐ点から好ましい。またその厚さは０．１〜１．０ｍｍが内容物の保持性および収縮性の点から好ましい。
【００２２】
また、本実施例で用いられている第１剤は、ｐ−トルイレンジアミン、ｐ−フェニレンジアミン、ｐ−メチルアミノフェノール、４−ニトロ−ｏ−フェニレンジアミン、１−アミノ−４−メチルアントラキノン、ポリオキシエチレン（９）ラウリルエーテル、ポリオキシエチレン（１５）ノニルフェニルエーテル、セチル硫酸ナトリウム、臭化セチルトリメチルアンモニウム、セチルアルコール、ワセリン、ステアリン酸、プロピレングリコール、ヒドロキシエチルセルロースヒドロキシプロピルトリメチルアンモニウムクロリドエーテル、エデト酸二ナトリウム、アスコルビン酸、２８％アンモニア水およびモノエタノールアミン、精製水を成分としており、これらを調製したものである。また、第１容器１１で用いられている噴射剤の成分は、窒素ガスである。
【００２３】
第２容器１３は、容器本体１１ａと同様な容器本体１３ａと、前述のマウンテインカップ１７ｃと、マウンテインカップ１７ｃに固着された高密度ポリエチレン製の内袋１６ｂと、噴射剤を排出するための排出口を塞ぐ栓１４とが備えられ、内袋１６ｂの内部には、クリーム状の第２剤が充填されており、内袋１６ｂと容器本体１３ａとの間には、第２剤を噴射させるための噴射剤が充填されている。
【００２４】
なお、内袋１６ｂとしては弾性変形可能な材質であり、例えば高密度ポリエチレン（ＨＤＰＥ）の他、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の単層の合成樹脂製、およびこれらの積層体が挙げられるが、ＰＥ／ＥＶＯＨ／ＰＥ等の積層体およびＨＤＰＥが噴射剤の透過および内容物の変質を防ぐ点から好ましい。またその厚さは０．１〜１．０ｍｍが内容物の保持性および収縮性の点から好ましい。
【００２５】
また、本実施例で用いられている第２剤は、過酸化水素水、フェナセチン、１−ヒドロキシエタン−１，１−ジホスホン酸、１−ヒドロキシエタン−１，１−ジホスホン酸四ナトリウム、セタノール、ジメチルポリシロキサン、ポリオキシエチレンアルキルエーテル、グリセリン、香料、精製水を成分としており、これらを調製したものである。また、第２容器１３で用いられている噴射剤の成分は、窒素ガスである。
【００２６】
また、内袋１６ｂは、断面Ａ−Ａを示す図３（ａ）のように、ひだおりのプリーツ形状に形成されており、実線で示すまで第２剤を封入でき、第２剤を射出してゆくと、点線Ｂで示すようにプリーツを寄せ合いながら縮むようになっている。
【００２７】
また、内袋１６ａも内袋１６ｂと同様にプリーツ形状に形成されている。そして、内袋１６ｂの体積は第２容器１３の容器本体１３ａの体積の５５〜８０％であり、本実施例では６５％である。また内袋１６ａも同様である。
また、第１容器１１および第２容器１３のマウンテンカップ１７ａ、１７ｃに関しても耐腐食性を考慮することが好ましく、たとえばマウンテンカップ１７ａ、１７ｃの材質としてはアルミニウム、アルマイト、ブリキ、ステンレスが挙げられ、耐薬品性の点からはステンレス製、ＰＥＴ等によりラミネート加工したアルミニウム、ブリキ製が好ましい。さらに染毛剤の原液が金属部に直接、接しないように内袋がハウジング１７ｂの端部に嵌合するものが好ましい。
【００２８】
さらに第１容器１１および第２容器１３の内面をコート剤で被覆することが好ましいが、その内容物の液性から第１容器１１の内面はエポキシフェノール樹脂、エポキシユリア樹脂、エポキシアミノ樹脂、エポキシアミン樹脂のシングルコート、ダブルコートあるいはトリプルコートで塗装し、第２容器１３の内面はポリアミドイミド系樹脂で塗装することにより、万一内容物が漏出しても金属表面をそれぞれの内容物による腐食から守るという耐薬品性の点で最も好ましい。
【００２９】
また、噴射剤としては窒素ガス、液化石油ガス、ジメチルエーテルなどが使用されるが、内袋内の内容物に悪影響を及ぼさない点から窒素ガスが好ましい。
また、第１容器１１および第２容器１３の内側には、図２に示すように酸素吸収剤１６ｃ及び１６ｄを配置してある。第１容器１１の内袋１６ａ内に収容された第１剤は酸素の存在により酸化されやすいため、第１容器１１内に酸素が残存していると内袋１６ａを透過して第１剤を酸化する恐れがある。そこで、残存する酸素を酸素吸収剤１６ｃにより除去することにより、その問題を解決することができる。一方、第２容器１３の内袋１６ｂ内に収容された第２剤は過酸化水素が徐々に発生する可能性があり、内袋１６ｂを透過して第２容器１３の内圧を上昇させて容器破裂などの恐れがある。そこで、発生する酸素を酸素吸収剤１６ｄにより除去することにより、その問題を解決することができる。なお、酸素吸収剤１６ｃ及び１６ｄとしては鉄粉、アスコルビン酸、亜硫酸ナトリウム、ハイドロサルファイト、チオグリコール酸、カテコールなどを小袋に収容したタイプやタブレットタイプが使用できる。
【００３０】
次に、以上のように構成された本実施例の２剤吐出容器１の使用方法及び作用について説明する。
まず、使用者は、図３（ｂ）に示す状態で、レバー３３を押し下げる。すると、レバー３３が押し下げられた２剤吐出容器１は、レバー３３の押下に従い、ノズル７がステム１８ａ及び１８ｂと共に下げられる。
【００３１】
次に、ステム１８ａ及び１８ｂは同時に下げられて、容器本体１１ａ内の第１剤及び容器本体１３ａ内の第２剤が噴射剤に押されて放出される。
次に、第１剤及び第２剤は、貫通口５５ａ及び５５ｂを通過し、仕切り板５９ａ及び５１ｂにより隔てられたノズル基部５１内を通過すると共に、ノズル前部５３のオリフィス５９から射出される。
【００３２】
使用者は、オリフィス５９から射出されたクリーム状染毛剤をブラシなどで受け取り染毛に使用する。
そして、上述のように２剤吐出容器１を使用後、放置しておくと、前述の成分の染毛剤両剤がノズル７内部で詰まりを起こす。
【００３３】
このようにノズル７内部で染毛剤が詰まったら、２剤吐出容器１のレバー３３を、図１に示すように、カバー５前方に倒し、さらに、ノズル７をステム１８ａ及び１８ｂから取り外す。この際にノズル７は、ステム１８ａ及び１８ｂから上方に引き抜くだけで、取り外すことができる。そして、取り外したノズル７を水などで洗えばよい。
【００３４】
以上説明した２剤吐出容器１によれば、ノズル７がカバー５の上から挿通口３７ａ及び３７ｂを通してステム１８ａ及び１８ｂに係合されていることから、クリーム状の第１剤と第２剤とがノズル７内で詰まりを起こしても、ノズル７をステム１８ａ及び１８ｂから取り外して洗浄することで、第１剤及び第２剤の詰まりを解消することができる。また、２剤吐出容器１では、ノズル７内部に設けられた仕切り板５９ａ及び５１ｂにより、第１容器１１及び第２容器１３の染毛剤がノズル７内部でお互いに衝突せず、干渉しないことから、同時に同量排出させることができ、確実に期待する染毛効果を得ることができる。
【００３５】
ところで、取り外したノズル７を洗浄するには、ノズル７のオリフィス５９、あるいは、貫通口５５ａ及び５５ｂから水などを注入して洗浄すればよいが、ノズル基部５１の内部に溜まったり、貫通口５５ａ及び５５ｂに溜まったりした染毛剤を完全に取り除くには手間が掛かることがある。また、ノズル７をノズル基部５１及びノズル前部５３に分解して、水などで別個に洗浄することも可能であるが、しかし、この方法でもノズル基部５１の貫通口５５ａ及び５５ｂ内に詰まった染毛剤を取り除くのは手間が掛かることがある。
【００３６】
そこで、図４に示すような洗浄器１２０を用いてノズル７を洗浄すればよい。洗浄器１２０は、水などの流体を吸入排出することが可能なポンプ部１２０ａと、ノズル７へ装着可能に形成され、ポンプ部１２０ａが吸入排出する流体をノズル７の内部に流通させる流通路１２０ｂと、を備えている。
【００３７】
ポンプ部１２０ａは、蛇腹１２１を備えて、その蛇腹１２１を伸縮させることで、水などを吸入排出することができ、蛇腹１２１の一端に嵌合部１２５によって、流通路１２０ｂに嵌合させることができる。
流通路１２０ｂは、ポンプ部１２０ａの嵌合部１２５に嵌合される嵌合口１２７と、嵌合口１２７から二股に分かれて、その先端にノズル７の係合部５７ａ及び５７ｂを装着できる装着口１３１ａ及び１３１ｂを有する管部１２９と、を備えている。
【００３８】
次に、以上に構成された洗浄器１２０を用いてノズル７を洗浄する方法について説明する。
まず、２剤吐出容器１から取り外したノズル７の係合部５７ａ及び５７ｂを洗浄器１２０の装着口１３１ａ及び１３１ｂに係合させる。
【００３９】
そして、洗浄器１２０をノズル７と共に水などに浸け、そして、ノズル７と洗浄器１２０との間を水が流通するように蛇腹１２１を伸縮させる。さらに、蛇腹１２１の伸縮を数度繰り返す。
このようにノズル７の洗浄に洗浄器１２０を用いることで、ノズル７に詰まったクリーム状の染毛剤を、手間をかけずに完全に取り除くことができる。
【００４０】
以上説明した洗浄器１２０によれば、２剤吐出容器１から取り外したノズル７を流通路１２０ｂに装着して、ポンプ部１２０ａにて水などの流体をノズル７に吸入排出させるだけで、手間をかけることもなく簡単にノズル７に詰まったクリーム状の染毛剤を取り除くことができる。
【００４１】
また、例えば、ノズル７の貫通口５５ａもしくは５５ｂのどちらか一方に染毛剤が詰まった場合に洗浄器１２０を使用した場合でも、仕切り板５９ａ及び５１ｂによりノズル７内が隔てられているので、ノズル７内部で水が干渉することもなく、確実に貫通路５５ａ及び５５ｂに詰まった染毛剤を取り除くことができる。
【００４２】
なお、上記実施例と請求項との対応をまとめると、貫通口５５ａ及び５５ｂ、オリフィス５９、ノズル基部５１の内面５１ａが誘導路に相当する。
以上本発明の実施例を説明したが、本発明は、上記実施例に限定されるものではなく、さらに種々なる態様にて実施してもよいことは勿論である。
【００４３】
例えば、ノズル７の構成を図５（ａ）に示すようなノズル１４１のようにしてもよい。
ノズル１４１は、ステム１８ａ及び１８ｂと係合可能な係合部を有し、内面１４３ａの中央部に仕切り板１４７ａを有し、一面を欠いた箱状に形成されたノズル基部１４３と、オリフィスを有し、オリフィスの中央部に仕切り板５９ａを形成されたノズル前部１４７と、ノズル基部１４３に対して、ノズル前部１４７を横開きを可能とするヒンジ１４５と、を備えている。なお、ノズル前部１４７には、ノズル基部１４３の内面１４３ａに嵌合する嵌合部１４９を備えている。
【００４４】
このノズル１４１は、ノズル前部１４７をヒンジ１４５を支点として図５（ａ）に示す矢印Ｄの方向へ回すことにより、ノズル前部１４７をノズル基部１４３へ嵌合することができる。
このようなノズル１４１によれば、組立時に位置合わせを行わずとも、ただ単に矢印Ｄの方向へ閉じるだけで、組み立てることができる。また、ノズル１４１を洗浄する際には、上記の洗浄器１２０を用いることもできるが、ノズル前部１４７及びノズル基部１４３を開いて洗浄するだけで、貫通孔及びオリフィスも洗浄することができる。
【００４５】
また、ノズル７の構成を図５（ｂ）に示すようなノズル１５１のようにしてもよい。
ノズル１５１は、ステム１８ａ及び１８ｂに係合可能な係合部１５８ａ、１５８ｂ及びオリフィスの下部を有し、内面１５３ａの中央部にノズル１５１内部を２室に隔てる仕切り板１５６ｃを有するノズル下部１５３と、オリフィスの上部を有するノズル上部１５７と、ノズル下部１５３に対して、ノズル上部１５７を縦開き可能とするヒンジ１５５を備えている。なお、ノズル上部１５７には、ノズル下部１５３の内面１５３ａに嵌合する嵌合部１５９が形成されている。また、係合部１５８ａ及び１５８ｂには貫通口１５６ａ及び１５６ｂが形成されている。
【００４６】
このノズル１５１は、ノズル上部１５７をヒンジ１５５を支点として図５に示す矢印Ｅの方向へ回すことより、ノズル上部１５７をノズル下部１５３へ嵌合させることができる。
このようなノズル１５１によれば、洗浄する際には、上記の洗浄器１２０を用いて行うこともできるが、ノズル上部１５７及びノズル下部１５３を開いて洗浄するだけで、貫通口１５６ａ及び１５６ｂ、オリフィスといった染毛剤が詰まりやすい部分も十分に洗浄することができる。
【００４７】
また、２剤吐出容器の構成は、図６に示す２剤吐出容器７１のような構成にしてもよい。
２剤吐出容器７１は、２剤吐出容器１と同一の第１容器１１、第２容器１３、及び、連結部１５を備え、ステム１８ａ及び１８ｂに係合可能な係合口９９ａ及び９９ｂが形成されたノズル７７と、ノズル７７を押し下げるためのレバー７９と、ノズル７７を上方からステム１８ａ及び１８ｂに係合可能とする挿通口７５ａ及びレバー７９を支える支持部８１を有するカバー７５と、を備えている。
【００４８】
ノズル７７は、下方の面を欠いたほぼ箱形に形成されたノズル基部９１と、上記の係合口９９ａ、９９ｂ及びノズル基部９１の下方に嵌合する嵌合部９７を有し、ノズル基部９１の下方を封じる蓋９５と、ノズル基部９１の一側面から突出した円筒状のオリフィス９３と、を備えている。また、ノズル基部９１及びオリフィス９３の内部には、内部を２室に隔てる仕切り板９３ａが形成されている。
【００４９】
レバー７９は、Ｔ字の板状に形成され、その一端に二股部１０１が形成され、二股部１０１の先端には、支持部８１に係合するための突起１０３が形成されている。
カバー７５は、上記の挿通口７５ａ及び支持部８１を有し、支持部８１には、突起１０３に係合可能な凹部８３が形成されている。凹部８３は、入り口の幅が突起１０３の径よりも小さく、深部の幅が突起１０３の径とほぼ同一に形成されているので、突起１０３を係合可能にしている。
【００５０】
このように構成された２剤吐出容器７１は、図７に示すように、レバー７９を押し下げられると、ノズル７７と同時にステム１８ａ及び１８ｂが押し下げられ、第１容器１１及び第１容器１３からクリーム状の染毛剤が放射され、ノズル７７内を通って、オリフィス９３から射出される。
【００５１】
そして、２剤吐出容器７１が詰まったら、まず、レバー７９を取り外す。
次に、ノズル７７をステム１８ａ及び１８ｂから取り外し、ノズル基部９１から蓋９５を外して、水などで洗浄すればよい。
以上説明した２剤吐出容器７１によれば、ノズル７７がカバー７５の上から挿通口７５ａを通してステム１８ａ及び１８ｂに係合されていることから、クリーム状の第１剤と第２剤とがノズル７７内で詰まりを起こしても、ノズル７７をステム１８ａ及び１８ｂから取り外して洗浄することで、上記の２剤吐出容器１と同様に第１剤及び第２剤の詰まりを解消することができる。
【００５２】
また、実施例の２剤吐出容器１では、第１容器１１及び第２容器１３が染毛剤を封入されたエアゾール容器であったが、特にエアゾール容器である必要はなく、例えば、ステムを押下することにより内部の圧力が上昇し、ステムから内容物を排出する、いわゆるポンプ式の容器などを備えていてもよい。
【００５３】
また、第１容器１１及び第２容器１３の構造を図８に示すエアゾール容器１７０のような構造としてもよい。
エアゾール容器１７０は、ブリキで形成され、エポキシアミノ樹脂、エポキシアミン樹脂などで内面塗装された容器本体１７１と、ステム１７７を有するマウンテインカップ１７５と、マウンテインカップ１７５に固着された高密度ポリエチレンの内袋１７３と、マウンテインカップ１７５の下端に設けられ、斜め下へ突出する突起を四方に形成された突起板１７９と、を備え、内袋１７３の内部には、第１剤または第２剤のいずれかを封入でき、内袋１７３と容器本体１７１との間には噴射剤である窒素ガスが封入されている。
【００５４】
このエアゾール容器１７０は、第１容器１１及び第２容器１３と同様に、ステム１７７を押下されると、窒素ガスの圧力により内袋１７３の第１剤または第２剤を放出するようになっている。
また、図８に示す内袋１７３の状態は、第１剤または第２剤が完全に充填された状態を示している。そして、ステム１７７を押下され、内袋１７３の第１剤または第２剤が減少していくと、内袋１７３は萎む。そして、内袋１７３が突起板１７９が接触すると、突起板１７９の突起により内袋１７３には傷が付き、裂けるので、内袋へ窒素ガスが進入する。従って、エアゾール容器１７０では、完全に染毛剤を使い切った後、第１容器１１及び第２容器１３のように窒素ガスを栓１２及び１４から抜く必要もなく、染毛剤を排出する方法と全く変わらない方法で窒素ガスを確実に抜くことができる。
【００５５】
また、本実施例のノズル７では、その内部で第１剤と第２剤とが混合しないように、仕切り板５９ａ及び５１ｂを形成してあるが、必ずしも仕切り板５９ａ及び５１ｂを形成せずともよい。
【図面の簡単な説明】
【図１】  実施例の２剤吐出容器１を示す分解斜視図である。
【図２】  実施例の２剤吐出容器１の横断面を示す断面図である。
【図３】  （ａ）は実施例の２剤吐出容器１の第２容器１３の断面Ａ−Ａを示す断面図、（ｂ）は実施例の２剤吐出容器１を示す斜視図である。
【図４】  実施例の２剤吐出容器１のノズルを洗浄する洗浄器１２０を示す分解斜視図である。
【図５】  実施例の２剤吐出容器１のノズルの変形例を示す斜視図である。
【図６】  実施例の２剤吐出容器の変形例を示す斜視図である。
【図７】  実施例の２剤吐出容器１の変形例の縦断面を示す断面図である。
【図８】  変形例のエアゾール容器１７０の縦断面を示す断面図である。
【符号の説明】
１…２剤吐出容器、  ５…カバー、  ７…ノズル、  １１…第１容器、
１３…第２容器、  １８ａ…ステム、  １８ｂ…ステム、  ３３…レバー、
３７ａ…挿通口、  ３７ｂ…挿通口、  ７１…剤混合容器、７５…カバー、
７５ａ…挿通口、  ７７…ノズル、  ７９…レバー、  １２０…洗浄器、
１２０ａ…ポンプ部、  １２０ｂ…流通路
【図１】
0003751125.tif 000002
【図２】
0003751125.tif 000003
【図３】
0003751125.tif 000004
【図４】
0003751125.tif 000005
【図５】
0003751125.tif 000006
【図６】
0003751125.tif 000007
【図７】
0003751125.tif 000008
【図８】
0003751125.tif 000009